(57)【要約】【課題】複数の自動取引装置を予測の基礎とすることで予測対象の自動取引装置における流出入量予測の精度をより向上させることが可能な情報処理装置及びプログラムを提案する。【解決手段】自動取引装置における取引媒体の流出入量を予測する予測部と、前記自動取引装置が設置された施設の種別、及び開催されるイベントの類似性に基づいて少なくとも１以上の他の自動取引装置を選択する選択部と、前記選択部により選択された前記他の自動取引装置における過去のイベント開催期間中の前記取引媒体の流出入量の実績値の平均値、及び前記予測部により予測された流出入量の予測値の比較結果に基づいて、イベント開催期間中の前記予測値を補正する補正部と、を備える、情報処理装置。【選択図】図４
2015187819.tif 000002
【特許請求の範囲】
【請求項１】
自動取引装置における取引媒体の流出入量を予測する予測部と、
前記自動取引装置が設置された施設の種別、及び開催されるイベントの類似性に基づいて少なくとも１以上の他の自動取引装置を選択する選択部と、
前記選択部により選択された前記他の自動取引装置における過去のイベント開催期間中の前記取引媒体の流出入量の実績値の平均値、及び前記予測部により予測された流出入量の予測値の比較結果に基づいて、イベント開催期間中の前記予測値を補正する補正部と、
を備える、情報処理装置。
【請求項２】
前記補正部は、前記平均値と前記予測値との比較により補正値を算出し、算出した前記補正値を用いて前記予測値を補正する、請求項１に記載の情報処理装置。
【請求項３】
前記補正部は、開催されるイベントの状態に応じて前記補正値を調整する、請求項２に記載の情報処理装置。
【請求項４】
前記補正部は、前記平均値から前記予測値を減算することで前記補正値を算出し、算出した前記補正値を前記予測値に加算することで前記予測値を補正する、請求項２又は３に記載の情報処理装置。
【請求項５】
前記選択部は、前記自動取引装置が設置された地域で過去に同一のイベントが開催されておらず類似のイベントが開催されている場合、前記自動取引装置が設置された地域に設置された前記他の自動取引装置を選択する、請求項１〜４のいずれか一項に記載の情報処理装置。
【請求項６】
前記補正部は、前記自動取引装置における過去のイベント開催期間中の前記取引媒体の流出入量の実績値をさらに加えて、前記平均値を算出する、請求項５に記載の情報処理装置。
【請求項７】
前記選択部は、前記自動取引装置が設置された地域で過去に類似のイベントが開催されていない場合、類似のイベントが開催された他の地域に設置された前記他の自動取引装置を選択する、請求項１〜６のいずれか一項に記載の情報処理装置。
【請求項８】
前記選択部は、前記施設の種別の類似性を優先して前記他の自動取引装置を選択する、請求項１〜７のいずれか一項に記載の情報処理装置。
【請求項９】
前記取引媒体は現金である、請求項１〜８のいずれか一項に記載の情報処理装置。
【請求項１０】
コンピュータを、
自動取引装置における取引媒体の流出入量を予測する予測部と、
前記自動取引装置が設置された施設の種別、及び開催されるイベントの類似性に基づいて少なくとも１以上の他の自動取引装置を選択する選択部と、
前記選択部により選択された前記他の自動取引装置における過去のイベント開催期間中の前記取引媒体の流出入量の実績値の平均値、及び前記予測部により予測された流出入量の予測値の比較結果に基づいて、イベント開催期間中の前記予測値を補正する補正部と、
として機能させるためのプログラム。
【発明の詳細な説明】
【技術分野】
【０００１】
本発明は、情報処理装置及びプログラムに関する。
【背景技術】
【０００２】
近年、自動取引装置（ＡＴＭ：ａｕｔｏｍａｔｅｄ−ｔｅｌｌｅｒ  ｍａｃｈｉｎｅ）が銀行、駅構内、及びコンビニエンスストアなど、多様な場所に設置されるようになっている。この自動取引装置は、利用者自身の操作で自動的に出金、入金及び残高照会などの各種取引を行うことができ、銀行窓口の営業終了後も稼働しているため、今後、増々設置台数が増えるものと予想される。
【０００３】
このような自動取引装置においては、千券や万券などの複数金種の現金を格納しており、例えば出金取引により現金が流出し、入金取引により現金が流入するので、適切なタイミングで自動取引装置に現金を装填または回収する必要がある。この点に関し、自動取引装置における現金の流出入量を予測することにより、現金が不足するタイミングで現金を自動取引装置に装填するための「資金装填の計画」を作成することが可能となる。回収についても同様である。このため、自動取引装置における現金の流出入量を精度よく予測するための技術が求められている。
【０００４】
例えば、下記特許文献１では、経験的知識に基づいて、自動取引装置における資金需要予測を行う技術が開示されている。
【０００５】
また、下記特許文献２では、自動販売機について、イベント期間、通常時と比較したイベント期間中の販売量の変動、及び配置場所などに対応するイベント計数を定義し、販売予測を行う技術が開示されている。
【０００６】
また、下記特許文献３では、過去の売り上げ実績が存在しない、新規に出店する店舗に関して、催事情報を含めた条件が類似する既存の店舗を選択し、選択した店舗の売り上げ実績に基づいて発注予測を立てる技術が開示されている。
【先行技術文献】
【特許文献】
【０００７】
【特許文献１】特開平８−１２３８８４号公報
【特許文献２】特開２００３−１７８３５６号公報
【特許文献３】特開２００４−３４８２５６号公報
【発明の概要】
【発明が解決しようとする課題】
【０００８】
しかし、上記特許文献に記載の技術は、予測の基礎となる特定のひとつの自動取引装置又は店舗などの対象を選択することを要していた。このため、予測の基礎とすべき対象が複数ある場合に適切な対応することが困難であり、また、選択した対象から得られたデータに異常値が含まれる場合には予測が外れる可能性があった。そこで、本発明は、上記問題に鑑みてなされたものであり、本発明の目的とするところは、複数の自動取引装置を予測の基礎とすることで予測対象の自動取引装置における流出入量予測の精度をより向上させることが可能な、新規かつ改良された情報処理装置及びプログラムを提供することにある。
【課題を解決するための手段】
【０００９】
上記課題を解決するために、本発明のある観点によれば、自動取引装置における取引媒体の流出入量を予測する予測部と、前記自動取引装置が設置された施設の種別、及び開催されるイベントの類似性に基づいて少なくとも１以上の他の自動取引装置を選択する選択部と、前記選択部により選択された前記他の自動取引装置における過去のイベント開催期間中の前記取引媒体の流出入量の実績値の平均値、及び前記予測部により予測された流出入量の予測値の比較結果に基づいて、イベント開催期間中の前記予測値を補正する補正部と、を備える、情報処理装置が提供される。
【００１０】
前記補正部は、前記平均値と前記予測値との比較により補正値を算出し、算出した前記補正値を用いて前記予測値を補正してもよい。
【００１１】
前記補正部は、開催されるイベントの状態に応じて前記補正値を調整してもよい。
【００１２】
前記補正部は、前記平均値から前記予測値を減算することで前記補正値を算出し、算出した前記補正値を前記予測値に加算することで前記予測値を補正してもよい。
【００１３】
前記選択部は、前記自動取引装置が設置された地域で過去に同一のイベントが開催されておらず類似のイベントが開催されている場合、前記自動取引装置が設置された地域に設置された前記他の自動取引装置を選択してもよい。
【００１４】
前記補正部は、前記自動取引装置における過去のイベント開催期間中の前記取引媒体の流出入量の実績値をさらに加えて、前記平均値を算出してもよい。
【００１５】
前記選択部は、前記自動取引装置が設置された地域で過去に類似のイベントが開催されていない場合、類似のイベントが開催された他の地域に設置された前記他の自動取引装置を選択してもよい。
【００１６】
前記選択部は、前記施設の種別の類似性を優先して前記他の自動取引装置を選択してもよい。
【００１７】
前記取引媒体は現金であってもよい。
【００１８】
また、上記課題を解決するために、本発明の別の観点によれば、コンピュータを、自動取引装置における取引媒体の流出入量を予測する予測部と、前記自動取引装置が設置された施設の種別、及び開催されるイベントの類似性に基づいて少なくとも１以上の他の自動取引装置を選択する選択部と、前記選択部により選択された前記他の自動取引装置における過去のイベント開催期間中の前記取引媒体の流出入量の実績値の平均値、及び前記予測部により予測された流出入量の予測値の比較結果に基づいて、イベント開催期間中の前記予測値を補正する補正部と、として機能させるためのプログラムが提供される。
【発明の効果】
【００１９】
以上説明したように本発明によれば、複数の自動取引装置を予測の基礎とすることで予測対象の自動取引装置における流出入量予測の精度をより向上させることが可能である。
【図面の簡単な説明】
【００２０】
【図１】本発明の一実施形態に係る予測システムの概要を示す図である。
【図２】本実施形態に係る予測装置の構成例を示すブロック図である。
【図３】本実施形態に係る予測装置において実行される予測処理の流れの一例を示すフローチャートである。
【図４】本実施形態に係る予測装置の内部で処理されるデータの流れを示す図である。
【図５】本実施形態に係る予測装置による予測処理の具体例を説明するための図である。
【図６】本実施形態に係る予測装置による予測処理の具体例を説明するための図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．予測システムの全体構成＞
本発明の一実施形態に係る情報処理装置は、自動取引装置における未来の取引データを予測する。本発明は、多様な形態で実施され得る。以下では、まず、図１を参照して、本発明の一実施形態に係る予測システムの全体構成を説明する。
【００２３】
図１は、本発明の一実施形態に係る予測システムの概要を示す図である。図１に示したように、予測システムは、予測装置１、操作端末２、自動取引装置中央管理部３、金融機関ホスト４、支店５−１、５−２、端末管理部６、自動取引装置７−１、７−２、及び専用網８を有する。なお、本明細書では、本発明の一実施形態に係る情報処理装置は予測装置１として実現されるものとして説明する。また、支店５−１、５−２を特に区別する必要が無い場合、支店５と総称する。同様に、自動取引装置７−１、７−２を特に区別する必要が無い場合、自動取引装置７と総称する。以下、予測システムが有する各構成要素について説明する。
【００２４】
（支店５）
支店５は、金融機関の店舗である。図１に示したように、支店５には、端末管理部６及び複数の自動取引装置７が設置される。なお、本明細書では、端末管理部６及び自動取引装置７が金融機関の店舗である支店５に設置される例を説明するが、コンビニエンスストア、駅構内、デパート、ホテル、オフィスビルなどの多様な施設に設置され得る。
【００２５】
（端末管理部６）
端末管理部６は、同一の支店５内に設置された自動取引装置７を管理する機能を有する。具体的には、端末管理部６は、自動取引装置７が保有する取引媒体の保有量や流出入量、稼働状況、取引内容等を管理する。端末管理部６は、専用網８を介して、自動取引装置中央管理部３及び金融機関ホスト４に接続されており、管理下にある自動取引装置７における取引媒体の保有量等の情報を、自動取引装置中央管理部３及び金融機関ホスト４に送信する。
【００２６】
（自動取引装置７）
自動取引装置７は、金融機関の顧客による操作に基づいて金銭の取引を実行する顧客操作型端末である。自動取引装置７は、現金や通帳、カード、レシート用紙等の多様な取引媒体が装填されており、取引処理の際に取引媒体が流出／流入する。後述の予測装置１は、自動取引装置７における未来の取引媒体の取引データを予測する。本明細書では、予測装置１は、一例として自動取引装置７における現金の流出入量を予測するものとする。流出入量とは、顧客取引により流出した現金の量を示す流出量から、顧客取引により流入した現金の量を示す流入量を差し引くことで算出される量であり、正の値は流出量の方が多いことを示し、負の値は流入量の方が多いことを示す。なお、以下では現金の流出量を流出枚数、流入量を流入枚数、流出入量を流出入枚数とも称する。
【００２７】
（専用網８）
専用網８は、専用網８に接続されている装置から送信される情報の有線、または無線の伝送路である。専用網８は、金融機関のネットワークであり、例えば専用線またはＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。
【００２８】
（金融機関ホスト４）
金融機関ホスト４は、自動取引装置７の上位装置として、専用網８を介して自動取引装置７と通信することにより、各種取引を制御する。例えば、金融機関ホスト４は、自動取引装置７を操作する顧客の認証や、自動取引装置７において顧客により指示された入金や振込などの金銭取引（勘定の取引処理）を実行する。また、金融機関ホスト４は、口座番号、暗証番号、氏名、住所、年齢、生年月日、電話番号、職業、家族構成、年収、預金口座残高などの顧客情報（口座の元帳）を管理する。
【００２９】
（自動取引装置中央管理部３）
自動取引装置中央管理部３は、専用網８を介して自動取引装置７と通信することにより、各自動取引装置７の稼働状況を監視する。例えば、自動取引装置中央管理部３は、自動取引装置７内に残っている現金の量、取引の状況、エラー（現金切れや紙幣詰まりなど）の有り無しなどを監視している。また、後述の予測装置１によって予測された現金の流出入量、及び自動取引装置７内に残っている現金の量などから、自動取引装置７内の現金が無くなる日を予測し、事前に補充を行えるような「資金装填の計画」を立てて指示をする。また、自動取引装置中央管理部３は、自動取引装置７における取引データを、予測装置１に通知する。
【００３０】
（操作端末２）
操作端末２は、予測装置１により予測された流出入量の出力を受け付けたり、予測装置１における各種パラメータを設定したりするための端末である。
【００３１】
（予測装置１）
予測装置１は、自動取引装置７における現金の流出入量の将来の推移を予測する予測装置である。自動取引装置７では例えば出金取引により現金が流出するので、適切なタイミングで自動取引装置７に現金を装填する必要がある。このため、予測装置１が、自動取引装置中央管理部３により取得された自動取引装置７の過去の取引データに基づいて、将来の現金の流出入量の推移を予測する。予測装置１は、日毎の流出入量、週毎の流出入量、１時間毎の流出入量など多様な粒度で流出入量の推移を予測し得るが、本明細書では、予測装置１は、日毎の流出入量を予測するものとする。以下では、予測装置１が予測した将来のある日における流出入量の予測値を、流出入予測とも称する。
【００３２】
なお、現金の流出入量は支店５ごとに異なるので、予測装置１は、支店５ごとに流出入量を予測してもよい。また、同一の支店５内の自動取引装置７であっても流出入量は異なり得る。例えば、支店５の入り口に近い自動取引装置７の流出入量は、入口から遠い自動取引装置７の流出入量より多くなる傾向にある。このため、予測装置１は、自動取引装置７ごとに流出入量を予測してもよい。
【００３３】
以上、本実施形態に係る予測システムの全体構成を説明した。続いて、図２を参照して、本実施形態に係る予測装置１の構成例を説明する。
【００３４】
＜２．予測装置の構成例＞
図２は、本実施形態に係る予測装置１の構成例を示すブロック図である。図２に示すように、予測装置１は、取得部１１、予測部１３、選択部１５、及び補正部１７を有する。
【００３５】
（１）取得部１１
取得部１１は、自動取引装置７における過去の取引データを取得する機能を有する。具体的には、取得部１１は、自動取引装置中央管理部３との通信により、自動取引装置７における過去の取引データを取得する。取引データとは、例えば自動取引装置７における日毎の流出枚数、流入枚数、流出入枚数、並びに現金が装填／回収された場合における装填枚数及び回収枚数を示す情報である。また、取得部１１は、予測対象の自動取引装置７以外の複数の自動取引装置７からも取引データを取得することができる。取得部１１は、取得した取引データを、予測部１３、及び選択部１５に出力する。
【００３６】
（２）予測部１３
予測部１３は、予測対象とする自動取引装置７における現金の流出入量を予測する機能を有する。具体的には、予測部１３は、取得部１１により取得された過去の日毎の流出入枚数に基づいて、将来の日毎の流出入枚数の推移を予測する。例えば、予測部１３は、一般的に流出入枚数の傾向が類似すると考えられる前年同月の流出入枚数に基づいて、将来の流出入枚数を予測する。他にも、予測部１３は、予測対象日の前月同日、前々年同日等の流出入枚数に基づいて予測してもよい。なお、以下では、過去の日毎の流出入枚数を、過去実績とも称する。
【００３７】
ここで、過去実績が取得された期間中に開催されていないイベントが、予測対象期間において予測対象の自動取引装置７の付近で開催される場合がある。このような場合、予測装置１は、イベントによる顧客の増加に伴う流出入枚数の変動を加味して予測を行うことにより、予測精度を向上させる。具体的には、予測装置１は、予測部１３により予測された流出入予測を、選択部１５により選択された予測対象とは異なる１つ以上の自動取引装置７の過去実績に基づいて、補正部１７により補正する。予測部１３による予測結果は補正部１７に出力され、必要に応じて補正部１７により補正される。
【００３８】
（３）選択部１５
選択部１５は、予測対象の自動取引装置７が設置された施設の種別（設置場所カテゴリ）、及び開催されるイベントの類似性に基づいて、少なくとも１つ以上の他の自動取引装置７を選択する機能を有する。具体的には、選択部１５は、予測対象の自動取引装置７の設置場所カテゴリと同一又は類似する他の自動取引装置７の中から、予測対象期間において開催されるイベントと同一又は類似のイベントが、過去に付近で開催された自動取引装置７を１つ以上選択する。選択部１５は、設置場所カテゴリの類似性をイベントの類似性に優先して、他の自動取引装置７を選択してもよい。これは、設置場所カテゴリが類似する場合の方が、イベントが類似する場合に比較して、流出入枚数が類似する傾向にあるためであり、予測精度を向上させるためである。なお、選択部１５は、補正部１７が複数の自動取引装置７における過去実績に基づく補正を行うことを担保するために、２つ以上の他の自動取引装置７を選択してもよい。
【００３９】
なお、選択部１５は、設置場所カテゴリ及び開催されるイベントが同一又は類似する自動取引装置７すべてを選択してもよいし、同一のもののみ、又は予測対象の自動取引装置７との距離が近いなどの一部を選択してもよい。イベントの開催地が自動取引装置７の付近であるか否かは、例えばイベントの開催地が自動取引装置７の設置区域（地域）内であるか否かにより判別可能であるものとする。選択部１５は、選択結果を補正部１７に出力する。
【００４０】
下記の表１に、設置場所カテゴリの一例を示した。表中の「カテゴリＮｏ．」は、設置場所カテゴリの識別番号を示す。「分類１」は、設置場所の上位レベルの分類を示す。「分類２」は、設置場所の下位レベルの分類を示す。例えば、選択部１５は、「分類１」が同一であれば類似するカテゴリであると判定し、「分類２」が同一であれば同一のカテゴリであると判定する。
【００４１】
【表１】
2015187819.tif 000003
【００４２】
下記の表２に、開催される得るイベントの一例を示した。表中の「イベントＮｏ．」は、イベントの識別番号を示す。「種類」は、イベントの種類を示す。「類似イベントＮｏ．」は、類似するイベントの識別番号を示す。例えば、選択部１５は、「イベントＮｏ．」が一致する場合は同一のイベントであると判定し、「類似イベントＮｏ．」に該当する場合は類似のイベントであると判定する。
【００４３】
【表２】
2015187819.tif 000004
【００４４】
（４）補正部１７
補正部１７は、予測対象の自動取引装置７の付近で開催されるイベントと同一又は類似のイベントが過去に開催された区域内の自動取引装置７の過去実績に基づいて、イベント期間中の流出入予測を補正する機能を有する。例えば、補正部１７は、選択部１５により選択された他の自動取引装置７における過去のイベント開催期間中の現金の流出入枚数の実績値の平均値、及び予測部１３により予測された流出入予測の比較結果に基づいて、イベント開催期間中の流出入予測を補正する。詳しくは、まず、補正部１７は、選択部１５により選択された１つ以上の自動取引装置７における過去のイベント期間中の流出入枚数の平均値と、予測部１３により予測された将来の流出入予測を比較して、流出入予測を補正するために用いる補正値（補正枚数）を算出する。例えば、補正部１７は、平均値から予測値を減算することで、補正値を算出する。なお、補正部１７は、選択部１５により選択された自動取引装置７に加えて、予想対象の自動取引装置７における過去のイベント期間中の流出入枚数を、平均値の算出に用いてもよい。そして、補正部１７は、算出した補正値を用いて、イベント開催期間中の流出入予測を補正する。例えば、補正部１７は、予測値に補正値を加算することにより、流出入予測を補正する。
【００４５】
なお、補正部１７は、過去のイベント期間中の流出入枚数を単に平均する他にも、重み付け平均したり、中央値、又は最頻値をとったりしてもよい。また、補正部１７は、減算により補正値を算出する以外にも、例えば平均値と予測値との比を算出したり、平均値と予測値との平均を取ったりすることにより補正値を算出してもよい。どのような統計処理を施すかは、例えば設置カテゴリ又はイベントの内容等によって変化し得る。
【００４６】
ここで、補正部１７は、開催されるイベントの状態に応じて補正値を調整し得る。例えば、補正部１７は、開催されるイベントの規模の変化度合及び来客見込みと過去の来客実績との比較結果、又は過去のイベントとの類似性等に基づいて、補正値を増減させる。これにより、補正部１７はより適切な補正値を算出することが可能となるため、予測装置１による予測精度を向上させることができる。他にも、補正部１７は、イベントが中止になった場合に、補正値をゼロにしてもよい。これにより、予測装置１は、イベントの開催可否に応じて柔軟に予測を変化させることが可能となる。
【００４７】
補正部１７は、このようにして補正した流出入予測を出力する。なお、予測対象期間中にイベントが開催されない、又は全く同一のイベントが予測対象の自動取引装置７の付近で過去に開催されたなど、補正を要しない場合、補正部１７は補正を行うことなく、予測部１３により予測された補正前の流出入予測をそのまま出力する。
【００４８】
以上、本実施形態の係る予測装置１の内部構成について説明した。
【００４９】
＜３．動作処理＞
［３−１．動作シナリオ］
予測装置１は、予測対象の自動取引装置７の付近で同一又は類似のイベントが過去に開催されていたか否か、また他の場所で同一又は類似のイベントが過去に開催されていたか否かに応じて、異なるシナリオで動作する。下記の表３に、予測装置１の動作シナリオをまとめた表を示した。表中の「シナリオＮｏ．」は、予測装置１の動作シナリオの識別番号を示す。「過去の同一イベント」は、予測対象の自動取引装置７の付近での同一のイベントの開催有無を示す。「過去の類似イベント」は、予測対象の自動取引装置７の付近での類似のイベントの開催有無を示す。「過去の類似イベント（他所）」は、予測対象の自動取引装置７の設置区域以外の設置区域における同一又は類似のイベントの開催有無を示す。
【００５０】
【表３】
2015187819.tif 000005
【００５１】
（シナリオＮｏ．１）
本シナリオは、予測対象の自動取引装置７の設置区域内で、過去に同一のイベントが開催された場合の動作シナリオである。この場合、予測装置１は、「処置Ａ」として、予測対象の自動取引装置７の過去実績から流出入予測を作成する。予測の基礎とする過去実績に、同一のイベントによる影響が加味されているため、予測装置１は、補正部１７による補正を行わず、予測部１３により予測された流出入予測をそのまま出力する。
【００５２】
（シナリオＮｏ．２）
本シナリオは、予測対象の自動取引装置７の設置区域内で、過去に同一のイベントが開催されていないが、同区域内で過去に類似のイベントが開催された場合の動作シナリオである。この場合、予測装置１は、「処置Ｂ」として、同区域内に設置された自動取引装置７におけるイベント開催期間中の過去実績に基づく補正値を用いて、予測部１３による流出入予測を補正して出力する。詳しくは、選択部１５は、予測対象の自動取引装置７の設置区域内に設置された他の自動取引装置７を選択する。なお、選択部１５は、同区域内に設置された、設置場所カテゴリが同一又は類似する自動取引装置７をすべて選択してもよいし、一部を選択してもよい。そして、補正部１７は、選択部１５により選択された他の自動取引装置７におけるイベント開催期間中の過去実績に基づく補正値を用いて、予測部１３による流出入予測を補正する。なお、補正部１７は、補正値の算出に際して、予測対象の自動取引装置７におけるイベント開催期間中の過去実績を平均値の計算に加えてもよい。
【００５３】
（シナリオＮｏ．３）
本シナリオは、予測対象の自動取引装置７の設置区域内で、過去に同一又は類似のイベントが開催されていないが、他の設置区域内で過去に同一又は類似のイベントが開催された場合の動作シナリオである。この場合、予測装置１は、「処置Ｃ」として、過去に同一又は類似のイベントが開催された設置区域内に設置された自動取引装置７におけるイベント開催期間中の過去実績に基づく補正値を用いて、予測部１３による流出入予測を補正して出力する。詳しくは、選択部１５は、同一又は類似のイベントが開催された他の設置区域内に設置された他の自動取引装置７を選択する。なお、選択部１５は、同区域内に設置された、設置場所カテゴリが同一又は類似する自動取引装置７をすべて選択してもよいし、一部を選択してもよい。そして、補正部１７は、選択部１５により選択された他の自動取引装置７におけるイベント開催期間中の過去実績に基づく補正値を用いて、予測部１３による流出入予測を補正する。
【００５４】
（シナリオＮｏ．４）
本シナリオは、予測対象の自動取引装置７の設置区域内及び他のどの設置区域内でも、過去に同一又は類似のイベントが開催されていない場合の動作シナリオである。この場合、予測装置１は、「処置Ｄ」として、予測対象の自動取引装置７の過去実績から流出入予測を作成して、経験則を加味するなど既知の手法によって流出入予測を補正する。
【００５５】
以上、本実施形態に係る予測装置１における動作シナリオを説明した。続いて、図３、図４を参照して、本実施形態に係る予測装置１の処理の流れを説明する。なお、ここでは、上記説明した動作シナリオＮｏ．２及びＮｏ．３に着目して、処理の流れを説明する。
【００５６】
［３−２．処理の流れ］
図３は、本実施形態に係る予測装置１において実行される予測処理の流れの一例を示すフローチャートである。
【００５７】
図３に示すように、まず、ステップＳ１０２で、取得部１１は、自動取引装置中央管理部３から日々の取引データを取得して蓄積する。
【００５８】
次いで、ステップＳ１０４で、予測部１３は、取得部１１により蓄積された日々の取引データから、予測の基礎となる過去実績を作成する。例えば、予測部１３は、予測対象の自動取引装置７における予測対象期間の前年同月の日毎の流出入枚数を、過去実績として作成する。
【００５９】
次に、ステップＳ１０６で、予測部１３は、予測対象の自動取引装置７の過去実績に基づいて流出入予測を作成する。例えば、予測部１３は、上記ステップＳ１０４において作成した前年同月の日毎の流出入枚数を、そのまま流出入予測として作成する。このとき、予測部１３は、例えば曜日合わせを行ってもよいし、年単位又は月単位等の流出入枚数の変動傾向を加味してもよい。
【００６０】
次いで、ステップＳ１０８で、補正部１７は、イベントに関連する過去実績を抽出する。例えば、まず、補正部１７は、上記説明した４つの動作シナリオで動作すべきかを判定し、必要に応じて選択部１５が他の自動取引装置７を選択する。例えば、選択部１５は、予測対象の自動取引装置７の設置区域内で、過去に同一のイベントが開催されていないが、同区域内で過去に類似のイベントが開催された場合、同区域内に設置された他の自動取引装置７を選択する（動作シナリオＮｏ．２）。他にも、選択部１５は、予測対象の自動取引装置７の設置区域内で、過去に同一又は類似のイベントが開催されていないが、他の設置区域内で過去に同一又は類似のイベントが開催された場合、同一又は類似のイベントが開催された他の設置区域内に設置された他の自動取引装置７を選択する（動作シナリオＮｏ．３）。そして、補正部１７は、選択部１５により選択された他の自動取引装置７における、イベント開催期間中の過去実績をそれぞれ抽出する。なお、動作シナリオＮｏ．２においては、補正部１７は、選択部１５により選択された他の自動取引装置７に加えて、予測対象の自動取引装置７における過去のイベント期間中の過去実績を抽出してもよい。
【００６１】
次に、ステップＳ１１０で、補正部１７は、抽出した過去実績を平均する。例えば、補正部１７は、選択部１５により選択された自動取引装置７における過去のイベント期間中の流出入枚数の平均値を日毎に算出する。
【００６２】
次いで、ステップＳ１１２で、補正部１７は、補正枚数を算出する。例えば、補正部１７は、上記ステップＳ１１０において平均された過去実績が示す日毎の流出入枚数から、上記ステップＳ１０６において作成された流出入予測が示す日毎の流出入枚数を引くことにより、イベント期間中の日毎の補正枚数を算出する。
【００６３】
そして、ステップＳ１１４で、補正部１７は、上記ステップＳ１１２において算出された補正枚数を用いて、上記ステップＳ１０６において作成された流出入予測を補正する。例えば、補正部１７は、イベント期間中の日毎の流出入予測に、日毎の補正枚数を加算することにより、流出入予測を補正する。
【００６４】
次に、ステップＳ１１６で、予測装置１は、各種データを出力したり更新したりする。例えば、予測装置１は、補正部１７により補正された流出入予測を出力したり、予測部１３により予測された補正前の流出入予測を出力したり、選択部１５により選択された自動取引装置７を示す識別情報を出力したりする。また、操作端末２は、過去又は将来のイベントに関するイベント情報を追加したり、補正枚数を照会したり、上記表１、表２等に示した各種パラメータを変更したり、予測装置１による出力に応じて帳票を出力したりする。
【００６５】
以上、図３を参照して、予測装置１による予測処理の流れをフローチャートに沿って説明した。続いて、図４を参照して、予測装置１の内部で処理されるデータの流れを、予測処理における各ステップと対応付けながら説明する。
【００６６】
図４は、本実施形態に係る予測装置１の内部で処理されるデータの流れを示す図である。図４に示すように、まず、予測装置１は、自動取引装置中央管理部３から取引データ１０２を取得する（図３ステップＳ１０２）。次いで、予測装置１は、稼働データ１０２から過去実績１０４を生成する（図３ステップＳ１０４）。次に、予測装置１は、過去実績１０４に基づいて予測対象の自動取引装置７の補正前の流出入予測１０６を生成する（図３ステップＳ１０６）。次いで、予測装置１は、過去実績１０４から、イベントに関連する過去実績１０８を複数抽出する（図３ステップＳ１０８）。次に、予測装置１は、イベントに関連する過去実績１０８を平均して、イベントに関連する過去実績の平均１１０を生成する（図３ステップＳ１１０）。次いで、予測装置１は、補正前の流出入予測１０６及びイベントに関連する過去実績の平均１１０に基づいて、補正枚数１１２を算出する（図３ステップＳ１１２）。そして、予測装置１は、補正枚数１１２を用いて補正前の流出入予測１０６を補正することにより、補正後の流出入予測１１４を生成する（図３ステップＳ１１４）。そして、予測装置１は、生成した補正後の流出入予測１１４を操作端末２に出力する（図３ステップＳ１１６）。
【００６７】
以上、本実施形態に係る予測装置１の予測処理の流れについて説明した。続いて、予測装置１の予測処理の具体例について説明する。
【００６８】
［３−３．具体例］
予測装置１に、例えば下記の表４に示した過去に開催されたイベントに関する情報、及び下記の表５に示した、将来に開催されるイベントに関する情報が入力された例を考える。表中の「ＡＴＭＮｏ．」は、自動取引装置７の識別番号を示す。「設置場所カテゴリ」は、表１を参照して上記説明した設置場所カテゴリの識別番号（カテゴリＮｏ．）を示す。「設置区域」は、自動取引装置７の設置場所の地理的な区分を示す。「イベント名」は、開催されるイベントの名称を示す。「イベント種別」は、表２を参照して上記説明したイベントの識別番号（イベントＮｏ．）を示す。「イベント開催期間」は、イベントが過去に開催された／将来開催される期間である。
【００６９】
【表４】
2015187819.tif 000006
【００７０】
【表５】
2015187819.tif 000007
【００７１】
以下では、上記表５に示したイベントが将来に開催される場合に、予測装置１が、上記４に示した過去のイベントに関する過去実績を用いて流出入予測を作成する例を説明する。ここでは特に、図５、図６を参照して、上記説明した「処置Ｂ」「処置Ｃ」の具体的な処理の流れを説明する。
【００７２】
図５は、本実施形態に係る予測装置１による予測処理の具体例を説明するための図である。具体的には、図５では、上記説明した「処置Ｂ」の具体的な処理の流れを示している。
【００７３】
例えば、上記表５に示した、「Ａ００１」又は「Ａ００２」の自動取引装置７を予測対象として、「○○食品博覧会」のイベント開催期間中の流出入予測を作成する際に、「処置Ｂ」を行う例を考える。上記表４に示すように、「Ａ００１」「Ａ００２」の自動取引装置７の設置区域では、イベント「○○食品即売会」が、過去に開催されている。イベント「○○食品即売会」のイベント種別は「４」であり、イベント「○○食品博覧会」のイベント種別は「７」であるので、上記表２を参照すると、両イベントは類似する。また、上記表５に示すように、「Ａ００１」「Ａ００２」の自動取引装置７の設置場所カテゴリは同一である。そこで、予測装置１は、「処置Ｂ」を行う際には、図５に示すように、「Ａ００１」及び「Ａ００２」の流出入予測を、「Ａ００１」及び「Ａ００２」の過去実績に基づいて補正する。
【００７４】
続いて、上記表５に示した、「Ａ００３」又は「Ａ００４」の自動取引装置７を予測対象として、「○○食品博覧会」のイベント開催期間中の流出入予測を作成する際に、「処置Ｂ」を行う例を考える。上記表４に示すように、「Ａ００３」「Ａ００４」の自動取引装置７の設置区域では、イベント「○○食品即売会」が、過去に開催されている。イベント「○○食品即売会」のイベント種別は「４」であり、イベント「○○食品博覧会」のイベント種別は「７」であるので、上記表２を参照すると、両イベントは類似する。また、上記表４に示すように、「Ａ００３」「Ａ００４」の自動取引装置７の設置場所カテゴリは同一である。そこで、予測装置１は、「処置Ｂ」を行う際には、図５に示すように、「Ａ００３」及び「Ａ００４」の流出入予測を、「Ａ００３」及び「Ａ００４」の過去実績に基づいて補正する。
【００７５】
図６は、本実施形態に係る予測装置１による予測処理の具体例を説明するための図である。具体的には、図６では、上記説明した「処置Ｃ」の具体的な処理の流れを示している。
【００７６】
例えば、上記表５に示した、「Ａ００１」又は「Ａ００２」の自動取引装置７を予測対象として、「○○食品博覧会」のイベント開催期間中の流出入予測を作成する際に、「処置Ｃ」を行う例を考える。上記表４に示すように、「Ｂ００１」「Ｂ００２」及び「Ｂ００３」の自動取引装置７の設置区域では、イベント「○○食品即売会」が過去に開催されている。イベント「○○食品即売会」のイベント種別は「４」であり、イベント「○○食品博覧会」のイベント種別は「７」であるので、上記表２を参照すると、両イベントは類似する。また、上記表４に示すように、「Ａ００１」「Ａ００２」「Ｂ００１」「Ｂ００２」及び「Ｂ００３」の自動取引装置７の設置場所カテゴリは同一であり、設置区域は「Ａ」と「Ｂ」とで異なる。そこで、予測装置１は、「処置Ｃ」を行う際には、図６に示すように、「Ａ００１」及び「Ａ００２」の流出入予測を、「Ｂ００１」「Ｂ００２」及び「Ｂ００３」の過去実績に基づいて補正する。
【００７７】
続いて、上記表５に示した、「Ａ００３」又は「Ａ００４」の自動取引装置７を予測対象として、「○○食品博覧会」のイベント開催期間中の流出入予測を作成する際に、「処置Ｃ」を行う例を考える。上記表４に示すように、「Ｂ００４」及び「Ｂ００５」の自動取引装置７の設置区域では、イベント「○○食品即売会」が過去に開催されている。イベント「○○食品即売会」のイベント種別は「４」であり、イベント「○○食品博覧会」のイベント種別は「７」であるので、上記表２を参照すると、両イベントは類似する。また、上記表４に示すように、「Ａ００３」「Ａ００４」「Ｂ００４」及び「Ｂ００５」の自動取引装置７の設置場所カテゴリは同一であり、設置区域は「Ａ」と「Ｂ」とで異なる。そこで、予測装置１は、「処置Ｃ」を行う際には、図６に示すように、「Ａ００３」及び「Ａ００４」の流出入予測を、「Ｂ００４」及び「Ｂ００５」の過去実績に基づいて補正する。
【００７８】
以上、「処置Ｂ」「処置Ｃ」の具体的な処理の流れを説明した。以下、表６〜表２０を参照しながら、「処置Ｂ」及び「処置Ｃ」の具体的な計算例を説明する。なお、下記の表では、現金の一例として万券、千券を対象とし、日毎の流出入枚数をそれぞれ示している。
【００７９】
（処置Ｂの計算例）
ここでは、「Ａ００１」の自動取引装置７を予測対象として、将来の「２０１３年１１月９日（土）〜１０日（日）」開催される「○○食品博覧会」を予測対象期間に含んだ流出入予測を、「処置Ｂ」により行う例を説明する。
【００８０】
例えば、予測部１３は、下記の表６に示す２０１２年の過去実績に基づいて、下記の表７に示す２０１３年の流出入予測を作成する。ここで、予測部１３は、予測対象期間を２０１３年１０月３１日（木）〜１１月１３日（水）として、曜日合わせを行っている。例えば、２０１３年１１月１日（金）の流出入枚数は、前年同月の同じ金曜日である、２０１２年１１月２日（金）の流出入枚数である。他も同様である。なお、下記表６は、図４に示した過去実績１０４に相当し、下記表７は、図４に示した補正前の流出入予測１０６に相当する。
【００８１】
【表６】
2015187819.tif 000008
【００８２】
【表７】
2015187819.tif 000009
【００８３】
次いで、補正部１７は、予測対象の自動取引装置７の設置区域内の、同一の設置場所カテゴリに設置された自動取引装置７の、類似するイベントの開催期間中の過去実績から、日毎の流出入枚数の平均を算出する。上記表４を参照すると、「Ａ００２」は、予測対象の「Ａ００１」と同一の設置区域「Ａ」及び同一の設置場所カテゴリ「４」に設置されており、上記表２に示したようにイベント種別「７」と類似するイベント種別「４」のイベントが過去に開催されている。このため、補正部１７は、下記の表８に示す「Ａ００１」の過去実績、及び下記の表９に示す「Ａ００２」の過去実績を平均して、下記の表１０に示す日毎の流出入枚数の平均を算出する。下記表８、９は、図４に示したイベントに関連する過去実績１０８に相当し、下記表１０は、図４に示したイベントに関連する過去実績の平均１１０に相当する。
【００８４】
【表８】
2015187819.tif 000010
【００８５】
【表９】
2015187819.tif 000011
【００８６】
【表１０】
2015187819.tif 000012
【００８７】
次に、補正部１７は、上記表１０に示した過去実績の平均の日毎の流出入枚数から、上記表７に示した流出入予測における日毎の流出入枚数を引くことにより、イベント期間中の日毎の補正枚数を算出する。上記表５を参照すると、イベントは将来の１１月９日（土）〜１０日（日）に開催される。また、上記表４を参照すると、類似するイベントは１０月５日（土）〜１０月６日（日）に開催された。このため、補正部１７は、表１０の２０１２年１０月５日（土）の流出入枚数から、表７の２０１３年１１月９日（土）の流出入枚数を引くことにより、２０１３年１１月９日（土）の補正枚数を算出する。同様に、補正部１７は、表１０の２０１２年１０月６日（日）の流出入枚数から、表７の２０１３年１１月１０日（日）の流出入枚数を引くことにより、２０１３年１１月１０日（日）の補正枚数を算出する。この計算結果を、下記の表１１に示す。下記表１１は、図４に示した補正枚数１１２に相当する。
【００８８】
【表１１】
2015187819.tif 000013
【００８９】
そして、補正部１７は、上記表７に示した補正前の流出入予測に、上記の表１１に示した日毎の補正枚数を加算することにより、流出入予測を補正する。具体的には、補正部１７は、上記表７の２０１３年１１月９日（土）の流出入枚数に、上記表１１の２０１３年１１月９日（土）の流出入枚数を足すことにより、２０１３年１１月９日（土）の流出入枚数を補正する。同様に、補正部１７は、上記表７の２０１３年１１月１０日（日）の流出入枚数に、上記表１１の２０１３年１１月１０日（日）の流出入枚数を足すことにより、２０１３年１１月１０日（日）の流出入枚数を補正する。この計算結果を、下記の表１２に示す。下記表１２は、図４に示した補正後の流出入予測１１４に相当する。
【００９０】
【表１２】
2015187819.tif 000014
【００９１】
（処置Ｃの計算例）
ここでは、「Ａ００１」の自動取引装置７を予測対象として、将来の「２０１３年１１月９日（土）〜１０日（日）」開催される「○○食品博覧会」を予測対象期間に含んだ流出入予測を、「処置Ｃ」により行う例を説明する。
【００９２】
例えば、予測部１３は、下記の表１３に示す２０１２年の過去実績に基づいて、下記の表１４に示す２０１３年の流出入予測を作成する。ここでの処理は、上記表６で説明した通りであるので、詳細な説明は省略する。なお、下記表１３は、図４に示した過去実績１０４に相当し、下記表１４は、図４に示した補正前の流出入予測１０６に相当する。
【００９３】
【表１３】
2015187819.tif 000015
【００９４】
【表１４】
2015187819.tif 000016
【００９５】
次いで、補正部１７は、他の設置区域内の同一の設置場所カテゴリに設置された自動取引装置７の、類似するイベントの開催期間中の過去実績から、日毎の流出入枚数の平均を算出する。上記表４を参照すると、「Ｂ００１」「Ｂ００２」「Ｂ００３」は、予測対象の「Ａ００１」と異なる設置区域「Ｂ」であって同一の設置場所カテゴリ「４」に設置されており、上記２に示したようにイベント種別「７」と類似するイベント種別「４」のイベントが過去に開催されている。このため、補正部１７は、下記の表１５、１６、１７に示す「Ｂ００１」「Ｂ００２」「Ｂ００３」の過去実績を平均して、下記の表１８に示す日毎の流出入枚数の平均を算出する。下記表１５、１６、１７は、図４に示したイベントに関連する過去実績１０８に相当し、下記表１８は、図４に示したイベントに関連する過去実績の平均１１０に相当する。
【００９６】
【表１５】
2015187819.tif 000017
【００９７】
【表１６】
2015187819.tif 000018
【００９８】
【表１７】
2015187819.tif 000019
【００９９】
【表１８】
2015187819.tif 000020
【０１００】
次に、補正部１７は、上記表１８に示した過去実績の平均の日毎の流出入枚数から、上記表１４に示した流出入予測における日毎の流出入枚数を引くことにより、イベント期間中の日毎の補正枚数を算出する。上記表５を参照すると、イベントは将来の１１月９日（土）〜１０日（日）に開催される。また、上記表４を参照すると、類似するイベントは１１月１０日（土）〜１１月１１日（日）に開催された。このため、補正部１７は、曜日合わせを考慮して、表１８の２０１２年１１月１０日（土）の流出入枚数から、表１４の２０１３年１１月９日（土）の流出入枚数を引くことにより、２０１３年１１月９日（土）の補正枚数を算出する。同様に、補正部１７は、表１８の２０１２年１１月１１日（日）の流出入枚数から、表１４の２０１３年１１月１０日（日）の流出入枚数を引くことにより、２０１３年１１月１０日（日）の補正枚数を算出する。この計算結果を、下記の表１９に示す。下記表１９は、図４に示した補正枚数１１２に相当する。
【０１０１】
【表１９】
2015187819.tif 000021
【０１０２】
そして、補正部１７は、上記表１４に示した補正前の流出入予測に、上記の表１９に示した日毎の補正枚数を加算することにより、流出入予測を補正する。具体的には、補正部１７は、上記表１４の２０１３年１１月９日（土）の流出入枚数に、上記表１９の２０１３年１１月９日（土）の流出入枚数を足すことにより、２０１３年１１月９日（土）の流出入枚数を補正する。同様に、補正部１７は、上記表１４の２０１３年１１月１０日（日）の流出入枚数に、上記表１９の２０１３年１１月１０日（日）の流出入枚数を足すことにより、２０１３年１１月１０日（日）の流出入枚数を補正する。この計算結果を、下記の表２０に示す。下記表２０は、図４に示した補正後の流出入予測１１４に相当する。
【０１０３】
【表２０】
2015187819.tif 000022
【０１０４】
＜４．まとめ＞
上記説明したように、本実施形態によれば、複数の自動取引装置を予測の基礎とすることで予測対象の自動取引装置における流出入量予測の精度をより向上させることが可能である。具体的には、本実施形態に係る予測装置１は、予測対象の自動取引装置７の過去実績に基づいて作成した流出入予測を、将来に開催されるイベントに関連する複数の過去実績に基づいて生成した補正枚数によって補正することができる。これにより、将来開催されるイベントと同一のイベントが過去に付近で開催されていない場合であっても、イベントによる変動を加味した予測精度の高い流出入予測を行うことが可能となる。また、複数の過去実績を平均して補正枚数が算出される場合、例えば過去実績に異常値が含まれる場合又は他の要因による変動が含まれる場合であっても、平均することでこの変動を希釈化して、予測精度を維持することが可能となる。
【０１０５】
また、予測装置１は、開催されるイベントの状態に応じて補正枚数を調整することが可能である。例えば、予測装置１は、イベントが中止になった場合やイベント規模の変化等の事情に応じて補正枚数を調整することが可能である。このため、予測装置１は、補正枚数をゼロにして補正を中止したり、補正枚数をイベント規模に応じて増減させたりする等、柔軟な予測を行うことが可能となる。
【０１０６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
例えば、上記実施形態では、将来にイベントが開催される場合に、流出入予測を補正する例を説明したが、本発明はかかる例に限定されない。例えば、過去に開催されていたイベントが将来開催されなくなった場合、予測装置１は、イベントが開催されていない期間中の過去実績を用いて、流出入予測を補正してもよい。
【０１０８】
また、上記実施形態では、現金を対象として流出入予測を行う例を説明したが、本発明はかかる例に限定されない。例えば、通帳、カード、レシート用紙等の多様な取引媒体を対象として、流出入予測が行われてもよい。
【０１０９】
なお、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭに読み込まれ、ＣＰＵなどのプロセッサにより実行される。
【０１１０】
また、本明細書においてフローチャートを用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【符号の説明】
【０１１１】
１    予測装置
１１    取得部
１３    予測部
１５    選択部
１７    補正部
２    操作端末
３    自動取引装置中央管理部
４    金融機関ホスト
５    支店
６    端末管理部
７    自動取引装置
８    専用網
【図１】
2015187819.tif 000023
【図２】
2015187819.tif 000024
【図３】
2015187819.tif 000025
【図４】
2015187819.tif 000026
【図５】
2015187819.tif 000027
【図６】
2015187819.tif 000028